(57)【要約】【課題】外気温度を検出する外気温度センサが、直接日射が当たる場所に設けられた場合、日射の影響を受けて外気温度が高いと誤判定して入浴喚起情報を報知しない場合があり、実際には外気温度が低く、浴室温度も低いにも関わらず、入浴注意喚起情報を報知しないので、予期せぬヒートショックによる危険があった。また、浴室に備えた暖房機で浴室を暖房して浴室温度が充分に上昇し、浴室が温かいにも関わらず、外気温度センサで検出した外気温度が低いと判断してしまい、必要のない暖房運転を推奨する入浴注意喚起情報を報知してしまうという問題があった。【解決手段】リモコンは、風呂スイッチの操作時に、外気温度センサ３３で検出した外気温度と所定外気温度及び浴室温度センサ３６で検出された浴室温度と所定浴室温度をそれぞれ比較し、比較結果に基づいて、記憶手段に記憶されている入浴注意喚起情報をリモコンの報知手段から報知するようにした。【選択図】図２
2019039618.tif 000002
【特許請求の範囲】
【請求項１】
風呂スイッチと報知手段とを有したリモートコントローラと、前記風呂スイッチの操作に応じて浴槽へ設定湯量または設定水位の湯張り運転を行う制御手段とを備えた風呂給湯装置において、入浴事故に関する入浴注意喚起情報を予め記憶する記憶手段と、浴室温度を検出する浴室温度センサと、外気温度を検出する外気温度センサとを設け、前記リモートコントローラは、前記風呂スイッチの操作時に、前記外気温度センサで検出した外気温度と所定外気温度及び前記浴室温度センサで検出された浴室温度と所定浴室温度をそれぞれ比較し、比較結果に基づいて、前記記憶手段に記憶されている前記入浴注意喚起情報を前記リモートコントローラの前記報知手段から報知するようにしたことを特徴とする風呂給湯装置。
【発明の詳細な説明】
【技術分野】
【０００１】
本発明は、入浴事故に関する注意喚起を行う風呂給湯装置に関するものである。
【背景技術】
【０００２】
従来よりこの種の風呂給湯装置においては、特許文献１に示すように、浴槽水の温度と浴室内の温度との温度差から入浴事故に関するリスク値を演算し、脱衣室または浴室へ人が入室したことを検知すると、リモートコントローラにてリスク値を報知するようにした風呂給湯装置があった。
【０００３】
また、入浴注意喚起情報の報知においては、特許文献２に示すように、本体制御手段に設けたカレンダ機能と、各種温度センサで検出した外気温度、浴室温度、給水温度とから入浴事故が発生する可能性が高い時期を判定し、判定ありの場合は、予め記憶手段に記憶してある入浴注意喚起情報を報知するものがあった。
【先行技術文献】
【特許文献】
【０００４】
【特許文献１】特開２００３−２２５１７４号公報
【特許文献２】特開２０１７−１２９３３３号公報
【発明の概要】
【発明が解決しようとする課題】
【０００５】
しかし、この従来のものでは、例えば外気温度を検出する外気温度センサが、直接日射が当たる場所に設けられた場合、日射の影響を受けて外気温度が高いと誤判定して入浴喚起情報を報知しない場合があり、実際には外気温度が低く、浴室温度も低いにも関わらず、入浴注意喚起情報を報知しないので、予期せぬヒートショックによる危険があった。また、浴室に備えた暖房機で浴室を暖房して浴室温度が充分に上昇し、浴室が温かいにも関わらず、外気温度センサで検出した外気温度が低いと判断してしまい、必要のない暖房運転を推奨する入浴注意喚起情報を報知してしまうという問題があった。
【課題を解決するための手段】
【０００６】
本発明は上記課題を解決するために、風呂スイッチと報知手段とを有したリモートコントローラと、前記風呂スイッチの操作に応じて浴槽へ設定湯量または設定水位の湯張り運転を行う制御手段とを備えた風呂給湯装置において、入浴事故に関する入浴注意喚起情報を予め記憶する記憶手段と、浴室温度を検出する浴室温度センサと、外気温度を検出する外気温度センサとを設け、前記リモートコントローラは、前記風呂スイッチの操作時に、前記外気温度センサで検出した外気温度と所定外気温度及び前記浴室温度センサで検出された浴室温度と所定浴室温度をそれぞれ比較し、比較結果に基づいて、前記記憶手段に記憶されている前記入浴注意喚起情報を前記リモートコントローラの前記報知手段から報知するようにした。
【発明の効果】
【０００７】
本発明によれば、風呂スイッチの操作時に、入浴事故に関する入浴注意喚起情報が報知されるため、浴室や脱衣室の暖房を行って浴室や脱衣室の室温と浴槽内の湯温の温度差を背景とする血圧の急変動のリスクを低減させたり、入浴前に十分に水分を摂取することで入浴中の脱水症のリスクを低減させたりする対処を、入浴事故防止を意識して行う時間的余裕を確保できると共に、支援者が適切な声かけや支援を行うための一助となれるものである。
【０００８】
また、外気温度センサの検出値と所定外気温度及び浴室温度センサの検出値と所定浴室温度とをそれぞれ比較することで、浴室内の状態を適切に把握でき、ユーザに必要な入浴注意喚起情報を正確に報知することができる。
【図面の簡単な説明】
【０００９】
【図１】本発明の一実施形態の構成を示す概略図
【図２】同一実施形態の制御機能ブロック図
【図３】同一実施形態の作動を説明するためのフローチャート図
【発明を実施するための形態】
【００１０】
次に、本発明の一実施形態の風呂給湯装置を図面に基づいて説明する。
【００１１】
図１は風呂給湯装置の構成を示す概略図で、１は湯水を貯湯する貯湯タンク、２は貯湯タンク１底部に給水する給水管、３は貯湯タンク１頂部から出湯する出湯管、４は給水管２から分岐された給水バイパス管、５は出湯管３からの湯と給水バイパス管４からの水とを混合する給湯混合弁、６は給湯混合弁５の出口と給湯栓７とを接続する給湯管、８は給湯管６を流れる湯水の流量を検出する給湯流量センサ、９は給湯管６を流れる湯水の温度を検出する給湯温度センサ、１０は給水バイパス管４を流れる給水の温度を検出する給水温度センサである。
【００１２】
１１は出湯管３からの湯と給水バイパス管４からの水とを混合する風呂混合弁、１２は風呂混合弁１１からの湯水を浴室に設置された浴槽１３へ湯張りするための湯張り管、１４は湯張り管１２を流れる湯水の流量を検出する湯張り流量センサ、１５は湯張り管１２を流れる湯水の温度を検出する湯張り温度センサ、１６は湯張り管１２の流路を開閉する湯張り電磁弁、１７は貯湯タンク１の側面上下に複数設けられて貯湯温度を検出する貯湯温度センサである。
【００１３】
１８は貯湯タンク１内に配置されたステンレス製の蛇管により構成され、浴槽１３内の浴槽水を加熱するための風呂熱交換器、１９は浴槽１３と風呂熱交換器１８とを浴槽水が循環可能に接続する風呂循環回路、２０は浴槽１３内の浴槽水を吸い込んで風呂熱交換器１８へ圧送して浴槽水を循環させるための風呂循環ポンプ、２１は浴槽水の温度を検出するための風呂温度センサ、２２は水圧を検知することにより浴槽１３内の水位を検出する水位センサであり、風呂循環回路１９途中には湯張り管１２が接続されている。
【００１４】
２３は貯湯タンク１内の湯水を加熱するためのヒートポンプ式の加熱手段、２４は貯湯タンク１と加熱手段２３とを湯水が循環可能に接続する加熱循環回路、２５は湯水を循環させる加熱循環ポンプ、２６は加熱手段２３に入水する湯水の温度を検出する入水温度センサ、２７は加熱手段２３で沸き上げられた湯水の温度を検出する沸き上げ温度センサである。ここで、ヒートポンプ式の加熱手段２３は、圧縮機２８、水冷媒熱交換器２９、膨張弁３０、空気熱交換器３１、送風機３２、外気温度を検出する外気温度センサ３３とを備えて構成されている。
【００１５】
３４は浴室外に設けられた浴室外リモコン（リモートコントローラ）で、給湯装置の作動状態や設定状態を報知する報知部としての表示部３４ａと、予め記憶している音声データや報知音等を出力するスピーカー３４ｂと、浴槽１３への湯張りを開始させるための風呂スイッチ３４ｃと、風呂設定温度を変更するための変更スイッチ３４ｄと、その他のスイッチ３４ｅと、制御手段３４ｆとを備えている。
【００１６】
３５は浴室内に設けられた浴室内リモコン（リモートコントローラ）で、給湯装置の作動状態や設定状態を報知する報知部としての表示部３５ａと、予め記憶している音声データや報知音等を出力するスピーカー３５ｂと、浴槽１３への湯張りを開始させるための風呂スイッチ３５ｃと、風呂設定温度を変更するための変更スイッチ３５ｄと、その他のスイッチ３５ｅと、浴室内の室温を検出する浴室温度センサ３６と、制御手段３５ｆとを備えている。
【００１７】
３７はこの給湯装置の作動を制御する本体制御手段で、給湯流量センサ８、給湯温度センサ９、給水温度センサ１０、湯張り流量センサ１４、湯張り温度センサ１５、貯湯温度センサ１７、風呂温度センサ２１、水位センサ２２、外気温度センサ３３、浴室温度センサ３６の検出値が入力され、給湯混合弁５、風呂混合弁１１、湯張り電磁弁１６、風呂循環ポンプ２０、加熱手段２３の作動を制御すると共に、浴室外リモコン３４および浴室内リモコン３５と必要な情報を送受信可能に接続されている。ここで、本体制御手段３７は、ＭＰＵ等の論理回路を有してメモリを参照しつつ予め記憶されているプログラムに従って作動を制御するものである。
【００１８】
次に図２に示す本発明の一実施形態の制御機能ブロック図について説明すると、本体制御手段３７には、外気温度センサ３３と浴室温度センサ３６の検出値から入浴事故の可能性がある項目を判定する判定手段３７ａとが設けられている。
【００１９】
浴室内リモコン３５の制御手段３５ｆには、入浴事故に関する入浴注意喚起情報を予め記憶する記憶手段３５ｇが設けられている。
【００２０】
この記憶手段３５ｇには、入浴注意喚起情報として、下記表１に示す例のように、入浴事故を未然に防ぐための対処法に関する情報が、表示部３５ａに表示させる文字データとして記憶されており、判定手段ａは外気温度センサ３３と浴室温度センサ３６の検出値から、それぞれの所定の値である所定外気温度ｔ１と所定浴室温度ｔ２と比較して、状況に合わせてケース１〜４のいずれかの情報を報知するのが適切か判定する。
【００２１】
【表１】
2019039618.tif 000003
【００２２】
浴室外リモコン３４の制御手段３４ｆには、入浴事故に関する入浴注意喚起情報を予め記憶する記憶手段３４ｇが設けられている。
【００２３】
この記憶手段３４ｇには、入浴注意喚起情報として、上記表１に示す例のように、入浴事故を未然に防ぐための対処法に関する情報が、表示部３４ａに表示させる文字データとして記憶されている。
【００２４】
次に、本発明の風呂給湯装置の作動について説明する。
【００２５】
＜沸き上げ運転＞
電力料金単価の安価な所定時間帯（深夜時間帯）の開始時刻になると、本体制御手段３７はそれまでの給湯負荷量に見合う湯量を沸き上げ開始するべく、加熱手段２３に対し、給湯負荷量に見合う沸き上げ目標温度と沸き上げ開始の指示を送信し、加熱手段２３は圧縮機２８と膨張弁３０と送風機３２と加熱循環ポンプ２５を駆動開始して、貯湯タンク１下部から取り出した湯水を水冷媒熱交換器２９で沸き上げ目標温度まで加熱して貯湯タンク１上部へ戻し、貯湯タンク１上部から沸き上げ設定温度の湯を積層状に貯湯し、本体制御手段３７は貯湯タンク１の最下部まで沸き上げるか、所定時間帯の終了時刻に到達すると、加熱手段２３に沸き上げの停止を指示し、加熱手段２３は圧縮機２８と膨張弁３０と送風機３２と加熱循環ポンプ２５を駆動停止して沸き上げ運転を終了する。
【００２６】
＜給湯＞
給湯栓７が開かれると、貯湯タンク１の底部に給水管２から市水が流入すると共に貯湯タンク１の頂部から出湯管３を介して高温の湯が出湯し、給湯混合弁５で給水バイパス管４からの水と混合されて給湯管６を通過する。そして、給湯流量センサ８が最低作動水量以上を検出すると、本体制御手段３７は、給湯温度センサ９が検出する温度が給湯設定温度と一致するように給湯混合弁５の弁開度をフィードバック制御して、給湯設定温度の給湯を行う。そして、給湯栓７が閉じられる等によって、給湯流量センサ８が最低作動水量未満を検出すると、本体制御手段３７は、給湯混合弁５の弁開度のフィードバック制御を停止して給湯停止するようにしている。
【００２７】
＜風呂自動運転＞
次に、風呂自動運転について説明する。浴室外リモコン３４の風呂スイッチ３４ａまたは浴室内リモコン３５の風呂スイッチ３５ａが操作されると、本体制御手段３７は、湯張り電磁弁１６を開弁し、湯張り温度センサ１５が検出する温度が風呂設定温度と一致するように風呂混合弁１１の弁開度をフィードバック制御して、風呂設定温度の湯張り運転を開始する。
【００２８】
そして、本体制御手段３７は、湯張り流量センサ１４で検出する湯張り流量の積算値が風呂設定湯量となると、または水位センサ２２が風呂設定水位を検出すると、湯張り電磁弁１６を閉弁して湯張り運転を終了し、風呂の保温運転を行う。
【００２９】
風呂の保温運転では、一定時間毎に風呂循環ポンプ２０を駆動して風呂温度センサ２１で浴槽水の温度を確認し、風呂設定温度より低くなっていることを検知すると、循環を継続して浴槽水を風呂熱交換器１８で加熱する。そして、風呂温度センサ２１で浴槽水の温度が風呂設定温度より上昇したことを確認すると、風呂循環ポンプ２０の駆動を停止する。
【００３０】
また、本体制御手段３７は、湯張り停止時の浴槽１３内の水位を水位センサ２２の検出値に基づいて記憶し、浴槽１３内の水位が記憶した水位から低下すると、元の水位になるまで湯張りする風呂補水運転を行う。
【００３１】
そして、湯張りの開始から予め設定された風呂自動保温時間が経過すると、風呂の保温運転および風呂補水運転も停止して、風呂自動運転を停止する。
【００３２】
次に、本発明の特徴的作動を図３に示すフローチャートに基づいて説明する。
【００３３】
浴室外リモコン３４または浴室内リモコン３５の制御手段３４ｆ、３５ｆは、風呂スイッチ３４ｃまたは３５ｃがオン操作されたか否かを判定し（Ｓ１）、風呂スイッチ３４ｃまたは３５ｃがオン操作されると（Ｓ１がＹｅｓ）、オン操作されたリモコンの制御手段３４ｆまたは３５ｆは、風呂自動運転要求が発生した旨の信号を本体制御手段３７へ送信する。
【００３４】
風呂自動運転要求が発生した旨の信号を受信した本体制御手段３７は、上記した風呂自動運転を開始すると同時に、風呂自動運転に伴う湯張り運転を開始する旨の信号を、浴室外リモコン３４および浴室内リモコン３５へ送信し、湯張り運転を開始する旨の信号を受信した制御手段３４ｆ、３５ｆは、それぞれのスピーカー３４ｂ、３５ｂから湯張りを開始する旨の音声ガイドを出力する（Ｓ２）。
【００３５】
また、本体制御手段３７は、風呂自動運転要求が発生した旨の信号を受けて、判定手段３７ａは、外気温度センサ３３で検出した外気温度が所定外気温度ｔ１（ここでは１０℃）と比べて低いか否かを判定し（Ｓ３）、外気温度が所定外気温度ｔ１よりも低い場合はＳ４に進み（Ｓ３がＮｏ）、外気温度が所定外気温度ｔ１よりも高い場合は（Ｓ３がＹｅｓ）Ｓ５に進む。ここで、所定外気温度ｔ１は、入浴事故の発生頻度が高くなる低い外気温度として予め設定している。
【００３６】
さらに、Ｓ４に進んだ場合、判定手段４１は浴室温度センサ３６で検出した浴室温度が所定浴室温度ｔ２（ここでは１５℃）と比べて低いか否かを判定し（Ｓ４）浴室温度が所定浴室温度ｔ２よりも低い場合はＳ６に進み（Ｓ４がＹｅｓ）、浴室温度が所定浴室温度ｔ２よりも高い場合はＳ７に進む（Ｓ４がＮｏ）。ここで、所定浴室温度ｔ２は、入浴事故の発生頻度が高くなる低い浴室温度として予め設定している。なお、この所定浴室温度ｔ２は浴室内の温度であるため前記所定外気温度ｔ１よりも高めに設定されているが、同一の温度であっても良い。
【００３７】
このとき、Ｓ６に進んだ場合、判定手段３７ａは、外気温度が所定外気温度ｔ１よりも低く、浴室温度が所定浴室温度ｔ２よりも低いので、外気温度が低く寒い環境であり、浴室暖房運転による浴室温度の上昇も行われていないことから、ヒートショックの危険があると判断し、表１のケース１を報知する旨の信号を、浴室外リモコン３４および浴室内リモコン３５へ送信し、湯張り運転を開始する旨の信号を受信した制御手段３４ｆ、３５ｆは、それぞれのスピーカー３４ｂ、３５ｂから湯張りを開始する旨の音声ガイドを出力する（Ｓ６）。
【００３８】
また、Ｓ７に進んだ場合、判定手段３７ａは、外気温度が所定外気温度ｔ１よりも低く、浴室温度が所定浴室温度ｔ２よりも高いので、外気温度が低く寒い環境であり、浴室暖房運転等で浴室温度が高くなっていることから、浴室は既に暖房運転が行われており、脱衣所と浴室の温度差があると判断し、表１のケース２を報知する旨の信号を、浴室外リモコン３４および浴室内リモコン３５へ送信し、湯張り運転を開始する旨の信号を受信した制御手段３４ｆ、３５ｆは、それぞれのスピーカー３４ｂ、３５ｂから湯張りを開始する旨の音声ガイドを出力する（Ｓ６）。
【００３９】
さらに、Ｓ５に進んだ場合、判定手段３７ａは浴室温度センサ３６で検出した浴室温度が所定浴室温度ｔ２と比べて低いか否かを判定し（Ｓ５）浴室温度が所定浴室温度ｔ２よりも低い場合はＳ８に進み（Ｓ５がＹｅｓ）、浴室温度が所定浴室温度ｔ２よりも高い場合はＳ９に進む（Ｓ５がＮｏ）。
【００４０】
このとき、Ｓ８に進んだ場合、判定手段３７ａは、外気温度が所定外気温度ｔ１よりも高く、浴室温度が所定浴室温度ｔ２よりも低いので、外気温度が比較的暖かい環境であるにも関わらず、浴室温度が低いことから、外気温度センサ３３が日射等で部分的に暖かい環境であると検出してしまっているだけで、寒い浴室に入ってしまうことによるヒートショックの危険があると判断し、表１のケース３を報知する旨の信号を、浴室外リモコン３４および浴室内リモコン３５へ送信し、湯張り運転を開始する旨の信号を受信した制御手段３４ｆ、３５ｆは、それぞれのスピーカー３４ｂ、３５ｂから湯張りを開始する旨の音声ガイドを出力する（Ｓ６）。
【００４１】
また、Ｓ７に進んだ場合、判定手段３７ａは、外気温度が所定温度ｔ１よりも高く、浴室温度が所定温度ｔ２よりも高いので、外気温度が比較的暖かい環境であり、浴室温度も高くなっていることから、ヒートショックによる危険はないが、入浴者が高齢者や子供であれば転倒などの危険が有ると判断し、表１のケース４を報知する旨の信号を、浴室外リモコン３４および浴室内リモコン３５へ送信し、湯張り運転を開始する旨の信号を受信した制御手段３４ｆ、３５ｆは、それぞれのスピーカー３４ｂ、３５ｂから湯張りを開始する旨の音声ガイドを出力する（Ｓ６）。
【００４２】
ここで、記憶手段３４ｇまたは３５ｇは複数の入浴注意喚起情報を情報番号と共に記憶しており、制御手段３４ｆまたは３５ｆは、入浴事故に関する入浴注意喚起情報を報知する旨の信号を受信する度に複数の入浴注意喚起情報のうちから一つの入浴注意喚起情報を選択するようにしている。
【００４３】
このように、風呂スイッチの操作時に、風呂スイッチを操作したリモートコントローラにおいて入浴事故に関する入浴注意喚起情報が報知されるため、浴室や脱衣室の暖房を行って浴室や脱衣室の室温と浴槽内の湯温の温度差を背景とする血圧の急変動のリスクを低減させたり、入浴前に十分に水分を摂取することで入浴中の脱水症のリスクを低減させる対処を、入浴事故防止を意識して行う時間的余裕を確保できると共に、支援者が適切な声かけや支援を行うための一助となれるものである。
【００４４】
また、直射日光が外気温度センサ３３に当たっている場合や、浴室暖房等で既に浴室温度が高くなっている場合で、外気温度と浴室温度が異なる状況にも対応して、適切な入浴注意喚起情報を報知することができる。
【００４５】
なお、本発明は上記実施形態に限定されるものではなく、発明の要旨を変更しない範囲で改変可能なものであり、例えば、本発明では所定外気温度ｔ１と比較している温度は、風呂スイッチ３４ｃまたは３５ｃがオン操作された時点での外気温度センサ３３で検出した外気温度であるが、風呂スイッチ３４ｃまたは３５ｃがオン操作された１時間前の外気温度もしくはその日の最低外気温度と、風呂スイッチ３４ｃまたは３５ｃがオン操作された時点での外気温度とを比較して、低い温度の方を判定値としても良い。
【００４６】
このように、風呂スイッチ３４ｃまたは３５ｃがオン操作された１時間前の外気温度もしくはその日の最低外気温度と、風呂スイッチ３４ｃまたは３５ｃがオン操作された時点での外気温度とを比較して、低い温度の方を判定値として所定外気温度ｔ１と比較することで、日射の影響を受けて風呂スイッチ３４ｃまたは３５ｃがオン操作された時点での外気温度が高くなってしまった場合の異常値による誤判定を回避し、より安全な入浴注意喚起情報を報知することができる。
【００４７】
判定手段３７ａは、風呂スイッチ３４ｃ、３５ｃが操作されたタイミングで判定しているが、これに限らず、事前に判定を行ってその結果を一定期間保持して入浴注意喚起情報を報知可能な状態とし、風呂スイッチ３４ｃ、３５ｃが操作されたときに入浴注意喚起情報を報知する構成としてもよい。
【００４８】
また、ヒートポンプ式の加熱手段で湯水を加熱する貯湯式の風呂給湯装置を例に説明したが、例えば、ガスや灯油を燃料とした瞬間加熱式の風呂給湯装置であってもよい。
【００４９】
また、記憶手段３４ｇ、３５ｇは、入浴注意喚起情報として文字データとして記憶しているが、文字データに加えて、または文字データに代えて音声データとして記憶し、スピーカー３４ｂ、３５ｂから音声で報知する構成としてもよいものである。
【符号の説明】
【００５０】
１３  浴槽
３３  外気温度センサ
３４  浴室外リモコン（リモートコントローラ）
３４ａ  表示部（報知手段）
３４ｂ  スピーカー（報知手段）
３４ｃ  風呂スイッチ
３４ｆ  制御手段
３４ｇ  記憶手段
３５  浴室内リモコン（リモートコントローラ）
３５ａ  表示部（報知手段）
３５ｂ  スピーカー（報知手段）
３６ｃ  風呂スイッチ
３５ｆ  制御手段
３５ｇ  記憶手段
３６  浴室温度センサ
３７  本体制御手段（制御手段）
３７ａ  判定手段
【図１】
2019039618.tif 000004
【図２】
2019039618.tif 000005
【図３】
2019039618.tif 000006